(57)【要約】【課題】コピー回数制限のあるＡＶストリームをＨＤＤに記録し、コピー回数を管理しつつ、効率的に外部メディアにコピー及び移動を行う。【解決手段】コピー回数制限のあるＡＶストリームをＨＤＤに記録する時に、ＡＶストリームからコピー回数制限情報を抜き取り、ＡＶストリーム１として記録しコピー許可回数をコピー許可回数管理部に記憶しておき、ＡＶストリーム１と関連付けておく。  ＡＶストリーム１を外部メディアにコピーする場合は、ＡＶストリーム１のデータを変更せずに外部メディアにコピーし、コピー許可回数管理部のコピー許可回数を−１する。  ＡＶストリーム１を外部メディアに移動する場合は、ＡＶストリーム１のデータにコピー回数制限情報を付加し、外部メディアに出力する。【選択図】図１
2008204523.tif 000002
【特許請求の範囲】
【請求項１】
外部からＡＶストリームの入力を受信し、受信したＡＶストリームをＤＥＭＵＸ部に出力するＡＶストリーム入力部と、
ＡＶストリーム入力部から入力されたＡＶストリームからコピー許可回数情報を検索することができ、発見した場合にコピー許可回数情報から得られるコピー許可回数をコピー許可回数管理部に出力し、コピー許可回数情報を入力されたＡＶストリームから削除し、ストレージ制御部に出力するＤＥＭＵＸ部と、
ＤＥＭＵＸ部から入力されたＡＶストリームを内部メディアに書き込むストレージ制御部と、
ＤＥＭＵＸ部から入力されたコピー許可回数と内部メディアに記録されたＡＶストリームを関連付けて記憶するコピー許可回数管理部と、
を備えることを特徴とする記録装置。
【請求項２】
外部からＡＶストリームの入力を受信し、受信したＡＶストリームをＤＥＭＵＸ部に出力するＡＶストリーム入力部と、
ＡＶストリーム入力部から入力されたＡＶストリームからコピー制限情報を検索することができ、コピー制限のあるＡＶストリームの場合は、任意の固定値をコピー許可回数としてコピー許可回数管理部に出力し、ストレージ制御部にＡＶストリームを出力するＤＥＭＵＸ部と、
ＤＥＭＵＸ部から入力されたＡＶストリームを内部メディアに書き込むストレージ制御部と、
ＤＥＭＵＸ部から入力されたコピー許可回数と内部メディアに記録されたＡＶストリームを関連付けて記憶するコピー許可回数管理部と、
を備えることを特徴とする記録装置。
【請求項３】
外部メディアに記録されている、コピー回数が制限されたＡＶストリームを内部メディアに移動するときに、
ストレージ制御部から入力されたＡＶストリームからコピー許可回数情報を検索することができ、発見した場合にコピー許可回数情報から得られるコピー許可回数をコピー許可回数管理部に出力し、コピー回数制限情報を入力されたＡＶストリームから削除し、ストレージ制御部に出力するＤＥＭＵＸ部と、
外部メディアからＡＶストリームを読み出し、ＤＥＭＵＸ部に出力し、
ＤＥＭＵＸ部から入力されたＡＶストリームを内部メディアに書き込むストレージ制御部と、
ＤＥＭＵＸ部から入力されたコピー許可回数と内部メディアに記録されたＡＶストリームを関連付けて記憶するコピー許可回数管理部と、
を備えることを特徴とする記録装置。
【請求項４】
請求項１又は請求項２又は請求項３に記載の記録装置であって、
内部メディアに記録されている、コピー回数が制限されたＡＶストリームを外部メディアにコピーするときに、
内部メディアからＡＶストリームを読み込み、外部メディアに出力するストレージ制御部と、
ＡＶストリームに関連付けられるコピー許可回数を−１するコピー許可回数管理部と、
を備えることを特徴とする記録装置。
【請求項５】
請求項１又は請求項２又は請求項３に記載の記録装置であって、
内部メディアに記録されている、コピー回数が制限されたＡＶストリームを外部メディアに移動するときに、
内部メディアからＡＶストリームを読み込み、ＤＥＭＵＸ部にＡＶストリームを出力し、ＤＥＭＵＸ部から入力されたＡＶストリームを外部メディアに出力し、すべての出力が完了した時に内部メディアから読み込んだＡＶストリームを削除するストレージ制御部と、
ストレージ制御部から入力されたＡＶストリームに関連付けられるコピー許可回数をコピー許可回数管理部から取得し、ＡＶストリームにコピー許可回数情報として付加し、ストレージ制御部に出力するＤＥＭＵＸ部と、
内部メディアから読み出されるＡＶストリームと関連付けられるコピー許可回数情報を削除する、コピー許可回数管理部と、
を備えることを特徴とする記録装置。
【請求項６】
請求項１又は請求項２又は請求項３に記載の記録装置であって、
ストレージ制御部から入力されたＡＶストリームを外部装置に出力する外部装置出力部と、  
内部メディアに記録されている、コピー回数が制限されたＡＶストリームを外部装置に移動するときに、
内部メディアからＡＶストリームを読み込み、ＤＥＭＵＸ部にＡＶストリームを出力し、ＤＥＭＵＸ部からの入力されたＡＶストリームを外部装置出力部に出力し、すべての出力が完了した時に内部メディアから読み込んだＡＶストリームを削除するストレージ制御部と、
ストレージ制御部から入力されたＡＶストリームに関連付けられるコピー許可回数をコピー許可回数管理部から取得し、ＡＶストリームにコピー許可回数情報として付加し、ストレージ制御部に出力するＤＥＭＵＸ部と、
内部メディアから読み出されるＡＶストリームと関連付けられるコピー許可回数情報を削除する、コピー許可回数管理部と、
を備えることを特徴とする記録装置。
【発明の詳細な説明】
【技術分野】
【０００１】
本発明は、著作権を保護するため、ＡＶストリームのコピーの禁止又はコピー回数を制限することが可能な記録装置に関する。
【背景技術】
【０００２】
２００７年２月現在、日本国内の地上波デジタル放送及びＢＳデジタル放送で放送されている殆どの番組（ＡＶストリーム）は、ＣＯＧ（Ｃｏｐｙ  Ｏｎｅ  Ｇｅｎｅｒａｔｉｏｎ：１世代のみコピー可）として放送されており、これらのＡＶストリームは例えば記録装置に内蔵されているＨＤＤ（ハードディスク）に記録した時点でＮＭＣ（Ｎｏ  Ｍｏｒｅ  Ｃｏｐｙ：再コピー禁止）となり、記録したＡＶストリームをＨＤＤから外部メディアにコピーすることはできず、ＨＤＤから外部メディアに番組を移動（すなわちＨＤＤから外部メディアにＡＶストリームをコピーが完了したらＨＤＤのＡＶストリームが削除される）することしかできない。
【０００３】
この制限に対して、消費者の利便性が損なわれているとし、デジタル放送からＨＤＤに記録したＡＶストリームを「Ｎ回コピー許可にする」という新たな運用案が検討されている。
【０００４】
なお、コピー回数を管理する従来技術を示す文献
によると、カセットテープ内部にコピー許可回数及び再生許可回数を管理するメモリを持ち、そのカセットテープ内にコピー制限されているＡＶストリームを記録する場合に、コピー許可回数を減算し、コピー許可回数が０になるとそのカセットテープにコピー制限されているＡＶストリームを記録しないようにする（例えば、特許文献１参照。）。
【０００５】
また、カセットテープに記録されている再生回数制限付のＡＶストリームを再生した場合、再生許可回数を減算し、再生許可回数が０になると、そのＡＶストリームを再生できなくする発明が開示されている。
【特許文献１】特開２００４−５９９５号公報
【発明の開示】
【発明が解決しようとする課題】
【０００６】
しかしながら、上述した従来の管理方法では、カセットテープなどの持ち運び可能なメディアしか想定されておらず、コピー回数が制限されたＡＶストリームを他のメディアにコピーする時の方法や、外部メディアにコピー許可回数を維持したまま移動させることが言及されていない。
【０００７】
本発明は、上記課題を解決するためのもので、記録装置にコピー回数が制限されたＡＶストリームを記録する時に、なるべく外部メディアに高速にコピー許可な形式でＡＶストリームを保存することと、内部メディアに記録されたコピー回数が制限されたＡＶストリームを外部メディア又は外部装置に移動する時に、コピー許可回数を維持したまま移動することができる記録装置を提供することを目的としている。
【課題を解決するための手段】
【０００８】
前記目的を達成するために請求項１の発明は、外部からＡＶストリームの入力を受信し、受信したＡＶストリームをＤＥＭＵＸ部に出力するＡＶストリーム入力部と、ＡＶストリーム入力部から入力されたＡＶストリームからコピー許可回数情報を検索することができ、発見した場合にコピー許可回数情報から得られるコピー許可回数をコピー許可回数管理部に出力し、コピー許可回数情報を入力されたＡＶストリームから削除し、ストレージ制御部に出力するＤＥＭＵＸ部と、ＤＥＭＵＸ部から入力されたＡＶストリームを内部メディアに書き込むストレージ制御部と、ＤＥＭＵＸ部から入力されたコピー許可回数と内部メディアに記録されたＡＶストリームを関連付けて記憶するコピー許可回数管理部とを備えることを特徴とする。
【０００９】
また、請求項２の発明は、外部からＡＶストリームの入力を受信し、受信したＡＶストリームをＤＥＭＵＸ部に出力するＡＶストリーム入力部と、  ＡＶストリーム入力部から入力されたＡＶストリームからコピー制限情報を検索することができ、コピー制限のあるＡＶストリームの場合は、任意の固定値をコピー許可回数としてコピー許可回数管理部に出力し、ストレージ制御部にＡＶストリームを出力するＤＥＭＵＸ部と、ＤＥＭＵＸ部から入力されたＡＶストリームを内部メディアに書き込むストレージ制御部と、  ＤＥＭＵＸ部から入力されたコピー許可回数と内部メディアに記録されたＡＶストリームを関連付けて記憶するコピー許可回数管理部とを備えることを特徴とする。
【００１０】
また、請求項３の発明は、外部メディアに記録されている、コピー回数が制限されたＡＶストリームを内部メディアにコピーするときに、ストレージ制御部から入力されたＡＶストリームからコピー許可回数情報を検索することができ、発見した場合にコピー許可回数情報から得られるコピー許可回数をコピー許可回数管理部に出力し、コピー回数制限情報を入力されたＡＶストリームから削除し、ストレージ制御部に出力するＤＥＭＵＸ部と、外部メディアからＡＶストリームを読み出し、ＤＥＭＵＸ部に出力し、ＤＥＭＵＸ部から入力されたＡＶストリームを内部メディアに書き込むストレージ制御部と、ＤＥＭＵＸ部から入力されたコピー許可回数と内部メディアに記録されたＡＶストリームを関連付けて記憶するコピー許可回数管理部とを備えることを特徴とする。
【００１１】
また、請求項４の発明は、請求項１又は請求項２又は請求項３に記載の記録装置であって、内部メディアに記録されている、コピー回数が制限されたＡＶストリームを外部メディアにコピーするときに、内部メディアからＡＶストリームを読み込み、外部メディアに出力するストレージ制御部と、ＡＶストリームに関連付けられるコピー許可回数を−１するコピー許可回数管理部とを備えることを特徴とする。
【００１２】
また、請求項５の発明は、請求項１又は請求項２又は請求項３に記載の記録装置であって、内部メディアに記録されている、コピー回数が制限されたＡＶストリームを外部メディアに移動するときに、内部メディアからＡＶストリームを読み込み、ＤＥＭＵＸ部にＡＶストリームを出力し、ＤＥＭＵＸ部から入力されたＡＶストリームを外部メディアに出力し、すべての出力が完了した時に内部メディアから読み込んだＡＶストリームを削除するストレージ制御部と、ストレージ制御部から入力されたＡＶストリームに関連付けられるコピー許可回数をコピー許可回数管理部から取得し、ＡＶストリームにコピー許可回数情報として付加し、ストレージ制御部に出力するＤＥＭＵＸ部と、内部メディアから読み出されるＡＶストリームと関連付けられるコピー許可回数情報を削除する、コピー許可回数管理部とを備えることを特徴とする。
【００１３】
また、請求項６の発明は、請求項１又は請求項２又は請求項３に記載の記録装置であって、ストレージ制御部から入力されたＡＶストリームを外部装置に出力する外部装置出力部と、内部メディアに記録されている、コピー回数が制限されたＡＶストリームを外部装置に移動するときに、内部メディアからＡＶストリームを読み込み、ＤＥＭＵＸ部にＡＶストリームを出力し、ＤＥＭＵＸ部からの入力されたＡＶストリームを外部装置出力部に出力し、すべての出力が完了した時に内部メディアから読み込んだＡＶストリームを削除するストレージ制御部と、ストレージ制御部から入力されたＡＶストリームに関連付けられるコピー許可回数をコピー許可回数管理部から取得し、ＡＶストリームにコピー許可回数情報として付加し、ストレージ制御部に出力するＤＥＭＵＸ部と、内部メディアから読み出されるＡＶストリームと関連付けられるコピー許可回数情報を削除する、コピー許可回数管理部とを備えることを特徴とする。
【発明の効果】
【００１４】
請求項１によりコピー回数が制限されたＡＶストリームを例えばデジタルチューナから入力を受けるＡＶストリーム入力部から記録装置の内部メディアに取り込んだ時、コピー許可回数を維持しながらＡＶストリームを高速で外部メディア又は外部装置にコピーすることが可能な形式で保存することができる。
【００１５】
また、請求項２により放送局がＡＶストリームにコピー許可回数情報を重畳させて送出しなくても、２００７年２月現在運用されているコピー制限情報の形式を維持したまま、コピー許可回数を記録装置で管理することができる。
【００１６】
また、請求項３によりコピー回数が制限されたＡＶストリームを外部メディアから、記録装置の内部メディアに移動させた時、コピー許可回数を維持しながら内部メディアに移動させることができる。
【００１７】
また、請求項４によりコピー回数が制限されたＡＶストリームを、コピー許可回数を管理しながら、なるべく高速に内部メディアから外部メディアにコピーすることができる。
【００１８】
また、請求項５によりコピー回数が制限されたＡＶストリームを、コピー許可回数を維持したまま、内部メディアから外部メディアに移動することができる。
【００１９】
また、請求項６によりコピー回数が制限されたＡＶストリームを、コピー許可回数を維持したまま、内部メディアから外部装置に移動することができる。
【発明を実施するための最良の形態】
【００２０】
以下に図を用いて本発明の実施の形態を説明する。
【００２１】
なお、以下に説明する実施の形態は、デジタル放送を受信し、受信したＡＶストリームをＨＤＤに記録することができ、ＩＥＥＥ１３９４の伝送路を使い、外部装置から入力されるＡＶストリームをＨＤＤに記録することができ、記録したＡＶストリームを外部メディア又は外部装置に、コピー又は移動を行う記録装置に適用した場合の実施例である。
【００２２】
（実施の形態）
図１は記録装置の構成を示すブロック図である。図１において、１はＩＥＥＥ１３９４又はデジタルチューナからＡＶストリームの入力を受信し、受信したＡＶストリームをＤＥＭＵＸ部２に出力するＡＶストリーム入力部１であり、
２は制御部７に制御され、ＡＶストリーム入力部１又はストレージ制御部３から入力されたＡＶストリームから解析指示のあるＰＳＩ（Ｐｒｏｇｒａｍ  Ｓｐｅｓｉｆｉｃ  Ｉｎｆｏｒｍａｔｉｏｎ）又はＳＩ（Ｓｅｒｖｉｃｅ  Ｉｎｆｏｍａｔｉｏｎ）を検索し、発見したタイミングで制御部７に割り込み処理通知を出力し、発見したＰＳＩ又はＳＩの内容をＲＡＭ１１に格納することができ、指定されたＰＩＤ（Ｐａｃｋｅｔ  ＩＤ）の出力をブロックすることができ、ＲＡＭ１１に格納された挿入ＰＳＩ情報又は挿入ＳＩ情報を、ＡＶストリームに指定されたタイミングで挿入することができ、前記ブロック処理及び挿入処理がなされたＡＶストリームをストレージ制御部３又は外部装置出力部１０に出力することができるＤＥＭＵＸ部２であり、
３は制御部７に制御され、ＨＤＤ４又は外部メディア５又はＤＥＭＵＸ部２から入力されたＡＶストリームをＨＤＤ４又は外部メディア５又はＤＥＭＵＸ部２に出力することができ、それを行うための十分なバッファをもち、ＨＤＤ４に出力するＡＶストリームと制御部７から指定された記録ＩＤを関連付けてＨＤＤ４に記録することができ、制御部７から指定された記録ＩＤと関連付けられるＨＤＤ４に記録されているＡＶストリームの読み出し及び削除を行うことができるストレージ制御部３であり、
４は記録装置から取り外すことができないＡＶストリームの記録領域であるＨＤＤ４であり、
５は記録装置から取り外すことが可能なＡＶストリームの記録領域である外部メディア５であり、
６は、ユーザからのリモコン操作を受け制御部７にその内容を出力するリモコン入力部６であり
７はリモコン入力部６からの入力によりＤＥＭＵＸ部２及びストレージ制御部３及びＧＵＩ表示部９及びコピー許可回数記憶部８を制御する制御部７であり、
８は制御部７に制御され、コピー許可回数とＨＤＤ４に記録されるＡＶストリームの記録ＩＤを関連付けて記憶するコピー許可回数記憶部８であり、
９は制御部７に制御され、画面表示を行うＯＳＤ表示部９であり、
１０はＩＥＥＥ１３９４の伝送路を用いて外部装置にＤＥＭＵＸ部２から入力されたＡＶストリームを出力する外部装置出力部１０であり、
１１はＤＥＭＵＸ部２及び制御部７から書き込み及び読み出しが行われるＲＡＭ１１である。
【００２３】
なお、ストレージ制御部３はＨＤＤ４及び外部メディア５にＡＶストリームを記録する場合、暗号化して記録を行い、暗号化されたＡＶストリームを読み出す場合は復号して読み出すのが望ましい。
【００２４】
なお、コピー許可回数管理部８に記録されるコピー許可回数は暗号化され記録されるのが望ましい。
【００２５】
なお、コピー許可回数管理部８の記憶領域はＨＤＤ４の内部に存在してもかまわない。
【００２６】
次に図２を用いてＨＤＤ４とコピー許可回数管理部８の関係を説明する。
図２の（ａ）はＨＤＤ４に記録されているデータを表したで表であり、ＨＤＤ４内部に４つのＡＶストリームが記録されていることが示されている。
【００２７】
ＴＳＡ、ＴＳＢ、ＴＳＣ、ＴＳＤにはそれぞれ記録ＩＤが１、２、４、５と付与されており、記録ＩＤは記録装置内でユニークな値をとり、ＨＤＤ４にＡＶストリームを記録する時に付与される。
【００２８】
（ｂ）はコピー許可回数管理部８に記録されているデータを表した表であり、参照記録ＩＤはＨＤＤ４に記録されているＡＶストリームの記録ＩＤが示されており、コピー許可回数は、参照記録ＩＤが参照する記録ＩＤを持つＨＤＤ４内のＡＶストリームのコピー許可回数を示している。
【００２９】
すなわち、この場合は、ＨＤＤ４に記録されているＴＳＡは３回のコピー許可回数があり、ＴＳＢは２回のコピー許可回数があり、ＴＳＣは０回のコピー許可回数（すなわち再コピー禁止の状態）があり、ＴＳＤは１回のコピー許可回数がある。
【００３０】
次に図３、図４を用いて、ＡＶストリーム入出力時のＡＶストリームの更新処理を説明する。
【００３１】
なお、この説明はＡＶストリーム入力部１がデジタルチューナからＡＶストリームを受信しＨＤＤ４にＡＶストリームを記録し、記録したＡＶストリームを外部メディア５にコピー又は移動を行うケースを説明する。
【００３２】
なお、後述するＴＳ１、ＴＳ２、ＴＳ３、ＴＳ４は図３で示すコピー許可回数記述子に関する部分を除き、社団法人電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）が策定したＡＲＩＢ規格に準拠している。
【００３３】
図３の（ａ）はＡＶストリームのコピー許可回数を示すために前記ＡＲＩＢ規格を拡張し、ＰＭＴ（Ｐｒｏｇｒａｍ  Ｍａｐ  Ｔａｂｌｅ）内に定義されるコピー許可回数記述子であり、同じＰＭＴにあるデジタルコピー制御記述子が１世代のみコピー可を示す場合に有効となる記述子であり、コピー許可回数フィールドはＡＶストリームのコピー許可回数を示し０から２５５の値の範囲で設定され、この値が０の場合はＡＶストリームが複製できないことを示している。
【００３４】
図４のＴＳ１はＡＶストリーム入力部１に入力されるＴＳ（Ｔｒａｎｓｐｏｒｔ  Ｓｔｒｅａｍ）であり、ＰＳＩとして、ＰＡＴ（Ｐｒｏｇｒａｍ  Ａｓｓｏｓｉａｔｉｏｎ  Ｔａｂｌｅ）、ＰＭＴ、ＮＩＴ（Ｎｅｔｗｏｒｋ  Ｉｎｔｏｍａｔｉｏｎ  Ｔａｂｌｅ）、などが含まれており、ＳＩとして、ＳＤＴ（Ｓｅｒｖｉｃｅ  Ｄｅｃｒｉｐｔｉｏｎ  Ｉｎｆｏｒｍａｔｉｏｎ  Ｔａｂｌｅ）、ＥＩＴ（Ｅｖｅｎｔ  Ｉｎｆｏｍａｔｉｏｎ  Ｔａｂｌｅ）、ＢＡＴ（Ｂｒｏａｄｃａｓｔｅｒ  Ｉｎｆｏｍａｔｉｏｎ  Ｔａｂｌｅ）などが含まれており、Ａｕｄｉｏ及びＶｉｄｅｏのエレメンタリストリームが含まれており、このＡＶストリーム中に含まれるＰＭＴのデジタルコピー制御記述子は１世代のみコピー可が示されており、また、ＰＭＴ内にコピー許可回数記述子が含まれコピー許可回数が示されている。
【００３５】
ＴＳ２はＴＳ１をＨＤＤ４に記録した時のストリームであり、前記ＡＲＩＢ規格で定義されるパーシャルＴＳであり、ＰＳＩとしてＰＡＴ、ＰＭＴが含まれ、ＳＩとしてＳＩＴ（Ｓｅｌｅｃｔｉｏｎ  Ｉｎｆｏｒｍａｔｉｏｎ  Ｔａｂｌｅ）が含まれており、このＡＶストリーム中に含まれるＰＭＴのデジタルコピー制御記述子及びＤＴＣＰ記述子は再コピー禁止が示されており、ＰＭＴ内にコピー許可回数記述子は含まれず、コピー許可回数はコピー許可回数管理８に記録される。
【００３６】
ＴＳ３はＨＤＤ４内に記録されるＴＳ２を外部メディア５に移動する時に外部メディアに対して出力するＡＶストリームであり、ＴＳ２のＰＭＴのデジタルコピー制御記述子及びＤＴＣＰ記述子を１世代のみコピー可とし、コピー許可回数管理部８によって管理されるＴＳ２のコピー許可回数より作成されたコピー許可回数記述子が含むようにＰＭＴが変更されたものでる。
【００３７】
なお、外部メディア５へＴＳ３の出力が完了した時に、ＴＳ２及びコピー許可管理部８に記憶されるＴＳ２のコピー許可回数は削除される。
【００３８】
ＴＳ４はＨＤＤ４内に記録されるＴＳ２を外部メディア５にコピーする時に外部メディアに対して出力するＡＶストリームであり、ＴＳ２と同様のＡＶストリームである。
【００３９】
なお、外部メディア５へＴＳ４の出力が完了した時に、コピー許可管理部８に記憶されるＴＳ２のコピー許可回数は−１される。
【００４０】
図４の（ａ）はＴＳ１、ＴＳ２、ＴＳ３、ＴＳ４それぞれのＰＭＴのコピー許可回数記述子の有無及び、デジタルコピー制御記述子の内容及び、ＤＴＣＰ記述子の有無及び内容を記載した表である。
【００４１】
次に図５を用いてＲＡＭ１１内部に持つ情報の説明を行う。
【００４２】
Ｒ１はＤＥＭＵＸ部２に設定され、制御部７に参照される情報でＤＥＭＵＸ部２に入力されたＡＶストリームのＰＳＩが抜き出され、随時格納される領域であり、
Ｒ２はＤＥＭＵＸ部２に設定され、制御部７に参照される情報でＤＥＭＵＸ部２に入力されたＡＶストリームのＳＩが抜き出され、随時格納される領域であり、
Ｒ３は制御部７に設定され、ＤＥＭＵＸ部２に参照される情報でＤＥＭＵＸ部２が制御部７の指示により、ＰＳＩとして出力ＡＶストリームに挿入する情報が格納される領域であり、
Ｒ４は制御部７に設定され、ＤＥＭＵＸ部２に参照される情報でＤＥＭＵＸ部２が制御部７の指示により、ＳＩとして出力ＡＶストリームに挿入する情報が格納される領域であり、
Ｒ５は制御部７に設定され、制御部７に参照される情報で、記録中ＡＶストリームのコピー許可回数が記憶される領域であり、
Ｒ６は制御部７に設定され、制御部７に参照される情報で、記録中ＡＶストリームの記録ＩＤが格納される領域である。
Ｒ７は制御部７に設定され、制御部７に参照される情報で、ＨＤＤ４に記録されるＡＶストリームをコピー又は移動する時に、コピー元又は移動元となるＨＤＤ４内のＡＶストリームの記録ＩＤが格納される領域である。
【００４３】
次に図６を用いて、デジタルチューナからＨＤＤ４にＡＶストリームを記録する場合の制御部７の動作フローを説明する。
【００４４】
まず、リモコン入力部６より録画操作が入力されると、ＲＡＭ初期化Ｓ１０の処理として、取得ＰＩＳ情報Ｒ１、取得ＳＩ情報Ｒ２、挿入ＰＳＩ情報Ｒ３、挿入ＳＩ情報Ｒ４、コピー許可回数情報Ｒ５、新規記録ＩＤ情報Ｒ６、読出記録ＩＤ情報Ｒ７を安全な値に初期化する。
【００４５】
次に記録ＩＤ作成処理Ｓ１１として、ＨＤＤ４内に存在しない記録ＩＤを検索し、新規記録ＩＤ情報Ｒ６に格納する。
【００４６】
次にＤＥＭＵＸ部開始設定Ｓ１２の処理で、ＤＥＭＵＸ部２の設定として、入力されるＡＶストリームをＡＶストリーム入力部１から出力されるＡＶストリームに設定し、入力されるＡＶストリームのＰＳＩ及びＳＩ情報を発見したタイミングで制御部７に割り込み処理を発生させ、その内容を取得ＰＳＩ情報Ｒ１及び取得ＳＩ情報Ｒ２に格納するように設定し、さらに、パーシャルＴＳを作成する上で不要となるＰＳＩ及びＳＩを及びＥＳ（Ｅｌｅｍｅｎｔａｒｙ  Ｓｔｒｅａｍ）をブロックするように設定し、さらに、挿入ＰＳＩ情報Ｒ３及び挿入ＳＩ情報Ｒ４に記憶されているＰＡＴ、ＰＭＴ、ＳＩＴをそれぞれ、１００ｍｓ、１００ｍｓ、１０００ｍｓの間隔で出力ＡＶストリームに挿入するように設定し、さらに、ストレージ制御部３にＡＶストリームを出力するように設定する。
【００４７】
なお、前記ＤＥＭＵＸ部開始設定Ｓ１２において入力されるＡＶストリームのＰＡＴ及びＰＭＴはブロック対象に含まれ、出力するＡＶストリームには前記挿入ＰＳＩ情報Ｒ３のＰＡＴ、ＰＭＴが挿入される。
【００４８】
次にストレージ制御部開始設定Ｓ１３の処理でストレージ制御部３の設定として、入力されるＡＶストリームをＤＥＭＵＸ部２から出力されるＡＶストリームに設定し、入力されたＡＶストリームをＨＤＤ４に書き込み、新規記録ＩＤ情報Ｒ６と関連付けて記録するように設定する。
【００４９】
以上をもって、録画開始処理が終了する。
【００５０】
録画中にＤＥＭＵＸ部２から、ＰＳＩ発見割り込みの発生が入力された時に、ＰＡＴ、ＰＭＴ作成処理Ｓ１４として、取得ＰＳＩ情報Ｒ１を読み込み前記ＡＲＩＢ規格のパーシャルＴＳの規定に従い、ＰＡＴ及びＰＭＴを作り変え挿入ＰＳＩ情報Ｒ３に記憶する。
【００５１】
なお、挿入ＰＳＩ情報Ｒ３にはコピー許可回数記述子は含まれない。
【００５２】
次に、コピー制限判断Ｓ１５で取得ＰＳＩ情報Ｒ１からＰＭＴを取得し、そのＰＭＴのデジタルコピー制御記述子が１世代のみコピー可の場合は、次にＳ１６の処理を行い、それ以外の場合は、ＰＳＩ発見割り込み処理を終了する。
【００５３】
コピー許可回数記憶Ｓ１６は、取得ＰＳＩ情報Ｒ１からＰＭＴを取得し、そのＰＭＴのコピー許可回数記述子のコピー許可回数をコピー許可回数情報Ｒ５に記憶する。この時、  今回設定するコピー許可回数＞前回設定したコピー許可回数の場合、コピー許可回数情報Ｒ５を更新しなくてもよい。
【００５４】
以上をもって、ＰＳＩ発見割り込み処理を終了する。
【００５５】
また、録画中にＤＥＭＵＸ部２から、ＳＩ発見割り込みの発生が入力された時に、ＳＩＴ作成処理Ｓ１７として、取得ＳＩ情報Ｒ２を読み込み前記ＡＲＩＢ規格のパーシャルＴＳの規定に従い、ＳＩＴを作成し挿入ＳＩ情報Ｒ３に記憶する。
【００５６】
リモコン入力部６より録画終了操作が入力されると、ストレージ制御部終了設定Ｓ１８として、ストレージ制御部３にＨＤＤ４へのＡＶストリームの書き込み処理を終了するように指示する。
【００５７】
次にＤＥＭＵＸ部終了設定Ｓ１９として、ＤＥＭＵＸ部３にブロック処理の停止及び、割り込み処理出力処理の停止及び、ＡＶストリームの出力処理の停止を指示する。
【００５８】
次に、コピー許可回数管理部設定処理Ｓ２０として、コピー許可回数情報Ｒ５と新規記録ＩＤ情報Ｒ６をコピー許可回数管理部８に追加設定する。
【００５９】
以上をもって、録画終了処理を終了する。
【００６０】
次に、図７、図８を用いて、ＨＤＤ４のＡＶストリームを外部メディア５に移動する時の制御部７の動作フローを説明する。
【００６１】
まずリモコン入力部６より、ダビング画面の表示操作が入力されるとダビング素材選択Ｓ３０として、ストレージ制御部３より、ＨＤＤ４に記録されているすべてのＡＶストリームのリストを取得し、ＯＳＤ表示部９にカーソル選択可能な形式で前記ＡＶストリームのリストを表示し、リモコン入力部６から選択操作が入力されると、その時フォーカスされているＡＶストリームの記録ＩＤを読出記録ＩＤ情報Ｒ７にその記録ＩＤを格納する。
【００６２】
次に、移動かコピーを選択Ｓ３２として、ＯＳＤ表示部９に選択したＡＶストリームを外部メディア５に移動するかコピーするかを選択させるＯＳＤを表示し、コピーが選択された場合は、次にＳ３３の処理を行い、移動が選択された場合は、次にＳ３２の処理を行う。
【００６３】
移動処理Ｓ３２は、ＨＤＤ４に記録されたＡＶストリームを外部メディア５に移動する。
【００６４】
移動処理Ｓ３２の詳細としては、まず、ＲＡＭ初期化Ｓ５０として、取得ＰＩＳ情報Ｒ１、取得ＳＩ情報Ｒ２、挿入ＰＳＩ情報Ｒ３、挿入ＳＩ情報Ｒ４、コピー許可回数情報Ｒ５、新規記録ＩＤ情報Ｒ６を安全な値に初期化する。
【００６５】
次にコピー制限判断Ｓ５１として、コピー許可回数管理部８から読出記録ＩＤ情報Ｒ７に示される記録ＩＤのコピー許可回数を取得し、取得したコピー許可回数が０よりも大きければ、次にＳ５４の処置を行い、コピー許可回数が０もしくは該当する情報が存在しなければ、次にＳ５２の処置を行う。
【００６６】
ストレージ制御部開始設定Ｓ５２は、ストレージ制御部３にＨＤＤ４から読出記録ＩＤ情報Ｒ７に示される記録ＩＤのＡＶストリームの読み出しを行い、外部メディア５に出力する指示を行う。
【００６７】
次に転送完了待ちＳ５３として、ＨＤＤ４から読み出したＡＶストリームが外部メディア５にすべて出力されるのを待ち、出力が完了したら、ストレージ制御部３の設定を元に戻す。
【００６８】
次にコピー許可回数管理部設定Ｓ５７として、読出記録ＩＤ情報Ｒ７に示される記録ＩＤのコピー許可回数コピー許可回数管理部８から削除する。
【００６９】
次に移動元ストリームの削除Ｓ５８として、読出記録ＩＤ情報Ｒ７に示される記録ＩＤのＡＶストリームをＨＤＤ４から削除するようストレージ制御部３に指示する。
【００７０】
一方、ＤＥＭＵＸ部開始設定Ｓ５４は、ＤＥＭＵＸ部２の設定として、入力されるＡＶストリームをストレージ制御部３から出力されるＡＶストリームに設定し、入力されるＡＶストリームのＰＳＩを発見したタイミングで制御部７に割り込み処理を発生させ、その内容を取得ＰＳＩ情報Ｒ１に格納するように設定し、さらに、ＰＭＴをブロックするように設定し、さらに、挿入ＰＳＩ情報Ｒ３に記憶されているＰＭＴを１００ｍｓの間隔で出力するＡＶストリームに挿入するように設定し、さらに、ストレージ制御部３にＡＶストリームを出力するように設定する。
【００７１】
次にストレージ制御部開始設定Ｓ５５は、ストレージ制御部３の設定として、ＨＤＤ４から読出記録ＩＤ情報Ｒ７に示される記録ＩＤのＡＶストリームの読み出しを行い、ＨＤＤ４から読み出したＡＶストリームをＤＥＭＵＸ部２に出力し、ＤＥＭＵＸ部２から入力されたＡＶストリームを外部メディア５に出力するように設定する。
【００７２】
次に転送完了待ちＳ５６として、ＨＤＤ４から読み出したＡＶストリームが外部メディア５にすべて出力されるのを待ち、出力が完了したらストレージ制御部３及びＤＥＭＵＸ部２の設定を元に戻す。
【００７３】
転送完了待ちＳ５６の間に、ＤＥＭＵＸ部２から、ＰＳＩ発見割り込みの発生が入力された時は、ＰＭＴ更新処理Ｓ５９として、記録ＩＤ情報Ｒ７に示される記録ＩＤのコピー許可回数をコピー許可回数管理部８から読み出し、読み出したコピー許可回数を元にコピー許可回数記述子を作成し、取得ＰＩＳ情報Ｒ１から読み出したＰＭＴにコピー許可回数記述子を加えて、挿入ＰＳＩ情報Ｒ３に記憶しＰＳＩ発見割り込み処理を終了する。
【００７４】
次に前述するコピー許可回数管理部設定Ｓ５７を行う。
【００７５】
次に前述する移動元ストリームの削除Ｓ５８を行う。
【００７６】
以上をもって移動処理が終了する。
【００７７】
次に、図７、図９を用いて、ＨＤＤ４のＡＶストリームを外部メディア５に移動する時の制御部７の動作フローを説明する。
【００７８】
まずリモコン入力部６より、ダビング画面の表示操作が入力されると前述するダビング素材選択Ｓ３０が実行される。
【００７９】
次に前述する移動かコピーを選択Ｓ３１が実行される。
【００８０】
次にコピー許可回数判断Ｓ３３として、読出記録ＩＤ情報Ｒ７に示される記録ＩＤのコピー許可回数をコピー許可回数管理部８から取得し、値が０であればＳ３５の処理を行い、０より大きければＳ３４の処理を行う。
【００８１】
警告を表示Ｓ３５として、コピーできない旨の警告をＯＳＤ表示部９に表示し終了する。
【００８２】
コピー処理Ｓ３２は、ＨＤＤ４のＡＶストリームを外部メディア５にコピーする。
【００８３】
コピー処理Ｓ３２の詳細は、まず、ＲＡＭ初期化Ｓ７０として取得ＰＩＳ情報Ｒ１、取得ＳＩ情報Ｒ２、挿入ＰＳＩ情報Ｒ３、挿入ＳＩ情報Ｒ４、コピー許可回数情報Ｒ５、新規記録ＩＤ情報Ｒ６を安全な値に初期化する。
【００８４】
次にストレージ制御部開始設定Ｓ７０は、ストレージ制御部３の設定として、ＨＤＤ４から読出記録ＩＤ情報Ｒ７に示される記録ＩＤのＡＶストリームの読み出しを行い、ＨＤＤ４から読み出したＡＶストリームをＤＥＭＵＸ部２に出力し、ＤＥＭＵＸ部２から入力されたＡＶストリームを外部メディア５に出力するように設定する。
【００８５】
次に転送完了待ちＳ７２として、ＨＤＤ４から読み出したＡＶストリームが外部メディア５にすべて出力されるのを待ち、出力が完了したら、ストレージ制御部３の設定を元に戻す。
【００８６】
次にコピー許可回数管理部設定Ｓ７４として、読出記録ＩＤ情報Ｒ７に示される記録ＩＤのコピー許可回数を−１し、コピー許可回数管理部８に設定する。
【００８７】
以上をもって、コピー処理が終了する。
【００８８】
以上説明したように、本実施の形態によれば、ＨＤＤ４に記録したコピー回数が限定されているＡＶストリームを、ＤＥＭＵＸ部２を通過させることなく、高速に外部メディア５にコピーすることが可能であり、また、コピー許可回数を維持したまま、ＨＤＤ４に記録したコピー回数が限定されているＡＶストリームを外部メディアに移動することが可能である。
【００８９】
これは、ＨＤＤ４に記録されたコピー回数が制限されたＡＶストリームは外部メディア４へのコピーを高速に行うことに重きを置いた内容であり、一般的に移動はＨＤＤ４のＡＶストリームが消えるという不安感があるため、コピーの方が、使用頻度が高いと考えられる点に着目した発明である。
【００９０】
なお、本実施例ではＨＤＤ４からの移動は外部メディア５に対して行っているが、外部装置出力部１０に対して行っても同等の効果が得られる。
【００９１】
また、外部メディア５からＨＤＤ４への移動する場合も上記移動処理を応用することで容易にコピー許可回数を引継ぎ移動することができる。
【００９２】
なお、本実施例ではＨＤＤ４への記録の実施例として、デジタルチューナの入力がＡＶストリーム入力部１に入力されるＡＶストリームとされているが、ＩＥＥＥ１３９４からの入力である場合は、入力されるＡＶストリームがパーシャルＴＳになるため、ＨＤＤ４に記録する時にパーシャルＴＳへの変換が不要となる点を除いて同等の処理であり、同等の効果を得ることができる。
【産業上の利用可能性】
【００９３】
本発明にかかるコピー許可回数の管理方法及びコピー方法及び移動方法は、コピー回数が制限されるデータの種類に応じてコピー許可回数の重畳方法を変更することによって、インターネットを利用した音楽配信システムで配信されるデータや、レンタルビデオで借り入れるデータにコピー許可回数を付加する用途にも適用できる。
【図面の簡単な説明】
【００９４】
【図１】記録装置の構成図
【図２】ＨＤＤに記録されるＡＶストリームとコピー回数管理部の関係図
【図３】コピー許可回数記述子の構造図
【図４】ＡＶストリーム入出力時のＡＶストリームの更新処理図
【図５】ＲＡＭ内の情報の説明図
【図６】ＨＤＤへ記録する時の制御部の動作フロー図
【図７】コピー及び移動時の制御部の動作フロー図
【図８】移動処理の制御部の動作フロー図
【図９】コピー処理の制御部の動作フロー図
【符号の説明】
【００９５】
１    ＡＶストリーム入力部
２    ＤＥＭＵＸ部
３    ストレージ制御部
４    ＨＤＤ
５    外部メディア
６    リモコン入力部
７    制御部
８    コピー許可回数記憶部
９    ＯＳＤ表示部
１０    外部装置出力部
【図１】
2008204523.tif 000003
【図２】
2008204523.tif 000004
【図３】
2008204523.tif 000005
【図４】
2008204523.tif 000006
【図５】
2008204523.tif 000007
【図６】
2008204523.tif 000008
【図７】
2008204523.tif 000009
【図８】
2008204523.tif 000010
【図９】
2008204523.tif 000011